(57)【要約】【課題】ミキサー等の外部装置を要することなく、音響効果が付与された波形データを得ることができる音源装置を提供すること。【解決手段】トーンジェネレータＴＧは、パート別に生成された楽音データＭを解釈して波形データＤＴＧを発生する。イコライズ処理部ＥＱ１，ＥＱ２、ディレイ処理部ＤＬ１〜ＤＬ４、エフェクト処理部ＥＦ１〜ＥＦ８は、音響効果を制御するための制御データを波形データＤＴＧに反映させ、出力チャンネルと制御データとの組み合わせに応じた波形データＥＦ１〜ＥＦ８を生成する。ミキシング処理部ＭＸ１，ＭＸ２は、波形データＥＦ１〜ＥＦ８を選択的に合成して波形データＤＯＬ，ＤＯＲを得る。これにより、パート別に生成された楽音データＭから、音響効果が制御された波形データＤＯＬ，ＤＯＲを得る。【選択図】      図１
2004295006.tif 000002
【特許請求の範囲】
【請求項１】
楽音データを入力する１又は２以上の第１のチャンネルと、楽音を放音するための複数のスピーカに対応した複数の第２のチャンネルとを有し、前記楽音データを前記第１のチャンネルを介して入力し、前記複数のスピーカの駆動信号に対応した複数の波形データを生成して前記第２のチャンネルを介して出力する音源装置であって、
前記楽音データを解釈して第１の波形データを発生する波形データ発生手段と、
音響効果を制御するための制御データを前記第２のチャンネルに応じて前記第１の波形データに反映させ、前記第２のチャンネルと前記制御データとの組み合わせに応じた複数の第２の波形データを生成する波形データ生成手段と、
前記複数の第２の波形データを選択的に合成して前記スピーカの駆動信号に対応した複数の波形データを得る波形データ合成手段と、
を備えたことを特徴とする音源装置。
【請求項２】
前記波形データ生成手段が、
前記音響効果を付与するための所定の処理を前記第１の波形データに施し、前記第２のチャンネルの数の累乗で表される数の波形データを前記複数の第２の波形データとして生成することを特徴とする請求項１に記載された音源装置。
【請求項３】
前記制御データが、
イコライズに関する第１の制御データ、ディレイに関する第２の制御データ、エフェクトに関する第３の制御データ、およびボリュームに関する第４の制御データの何れかと、ミキシングに関する第５の制御データとを含むことを特徴とする請求項１または２の何れかに記載された音源装置。
【発明の詳細な説明】
【０００１】
【発明の属する技術分野】
この発明は、ピアノパート、バイオリンパート等のパート別に生成された楽音データを入力し、音響効果が制御された多チャンネルの波形データを生成する音源装置に関する。
【０００２】
【従来の技術】
従来、普及型の音源として、ステレオ再生に好適な２チャンネル仕様のものがある。この普及型の音源では、音色や音量を制御するための機能を内蔵したものが一般的であるが、パンニング等の音響効果を付与するための機能は外部に備えていた（特許文献１参照）。また、レコーディング等に使用される高機能仕様の音源としては、例えば、６チャンネル仕様のものがある。この仕様では、図６に示すように、楽音データＳがピアノやボーカル等のパート別に出力され、各パートにはチャンネル１〜６が割り付けられている。音源装置Ｍは、楽音データＳの各チャンネルの楽音データを入力して解釈し、各パートに対応したチャンネルの波形データを生成する。
【０００３】
【特許文献１】
特開平０２−１８９５８９号公報（第３頁右下欄、図１）
【０００４】
【発明が解決しようとする課題】
しかしながら、上述の従来技術に係る多チャンネル仕様の音源装置によれば、各チャンネルについて生成された波形データは、パンニングやボリューム、或いはエフェクト等の音響効果が制御されておらず、このままではスピーカを駆動して立体的な音場を形成することはできない。従って、この種の音源装置を用いる場合には、各チャンネルの波形データに音響効果を付与する必要がある。従ってミキサー等の外部装置を更に必要とし、構成が複雑化するという問題があった。この発明は、上記事情に鑑みてなされたもので、ミキサー等の外部装置を要することなく、音響効果が付与された波形データを得ることができる音源装置を提供することを目的とする。
【０００５】
【課題を解決するための手段】
上記課題を解決するため、この発明は以下の構成を有する。
即ち、この発明は、楽音データを入力する１又は２以上の第１のチャンネルと、楽音を放音するための複数のスピーカに対応した複数の第２のチャンネルとを有し、前記楽音データを前記第１のチャンネルを介して入力し、前記複数のスピーカの駆動信号に対応した複数の波形データを生成して前記第２のチャンネルを介して出力する音源装置であって、前記楽音データを解釈して第１の波形データを発生する波形データ発生手段と、音響効果を制御するための制御データを前記第２のチャンネルに応じて前記第１の波形データに反映させ、前記第２のチャンネルと前記制御データとの組み合わせに応じた複数の第２の波形データを生成する波形データ生成手段と、前記複数の第２の波形データを選択的に合成して前記スピーカの駆動信号に対応した複数の波形データを得る波形データ合成手段と、を備えたことを特徴とする。
この構成によれば、楽音データを解釈して得られた第１の波形データに対し、第２のチャンネルに応じて制御データを反映させることにより、この複数の第２の波形データの中には、チャンネルと制御データの種類との組み合わせに応じて音響効果が付与されたデータが含まれる。この第２の波形データの中から、スピーカから楽音を放音した場合に所望の音響効果が得られるように、制御データに従って各チャンネルの波形データが選択されて合成される。
【０００６】
また、上記音源装置において、例えば、前記波形データ生成手段が、前記音響効果を付与するための所定の処理を前記第１の波形データに施し、前記第２のチャンネルの数の累乗で表される数の波形データを前記複数の第２の波形データとして生成することを特徴とする。
さらに、上記音源装置において、前記制御データが、イコライズに関する第１の制御データ、ディレイに関する第２の制御データ、エフェクトに関する第３の制御データ、およびボリュームに関する第４の制御データの何れかと、ミキシングに関する第５の制御データとを含むことを特徴とする。
【０００７】
【発明の実施の形態】
以下、図面を参照し、本発明の実施形態について説明する。
図１は、本発明の実施形態に係る音源装置の原理的な構成例を示す図である。同図に示す音源装置１００は、２チャンネル出力仕様のものであって、１つの入力チャンネル（第１のチャンネル）と、左右のスピーカに対応した２つの出力チャンネル（第２のチャンネル）を備えており、１つのトーンジェネレータＴＧと、２つのイコライズ処理部ＥＱ１，ＥＱ２と、４つのディレイ処理部ＤＬ１〜ＤＬ４と、８つのエフェクト処理部ＥＦ１〜ＥＦ８と、２つのミキシング処理部ＭＸ１，ＭＸ２から構成される。このうちトーンジェネレータＴＧは、楽音データＭを解釈して楽音の波形データＤＴＧを発生するものであり、波形データ発生手段として機能する。また、イコライズ処理部ＥＱ１，ＥＱ２、ディレイ処理部ＤＬ１〜ＤＬ４、エフェクト処理部ＥＦ１〜ＥＦ８は、音響効果を制御するための各種の制御データ（Ｃ１〜Ｃ３）を波形データＤＴＧに反映させて波形データＥＦ１〜ＥＦ８を生成するものであり、波形データ生成手段として機能する。さらに、ミキシング処理部ＭＸ１，ＭＸ２は、音響効果が制御された波形データＥＦ１〜ＥＦ８を選択的に合成するものであり、波形データ合成手段として機能する。
【０００８】
ここで、楽音データＭは、ピアノやボーカル等の複数のパートが混在したデータであって、トーンジェネレータＴＧに供給される。トーンジェネレータＴＧの出力部は２つのイコライズ処理部ＥＱ１，ＥＱ２の入力部に共通接続され、これらイコライズ処理部ＥＱ１，ＥＱ２には、上述の制御データとしてイコライズ制御データＣ１が供給される。また、２つのイコライズ処理部のうち、一方のイコライズ処理部ＥＱ１の出力部はディレイ処理部ＤＬ１，ＤＬ２の入力部に共通接続され、他方のイコライズ処理部ＥＱ２の出力部はディレイ処理部ＤＬ３，ＤＬ４の入力部に共通接続される。これらディレイ処理部ＤＬ１〜ＤＬ４には、上述の制御データとしてディレイ制御データＣ２が供給される。
【０００９】
また、４つのディレイ処理部のうち、ディレイ処理部ＤＬ１の出力部はエフェクト処理部ＥＦ１，ＥＦ２の出力部に共通接続され、ディレイ処理部ＤＬ２の出力部はエフェクト処理部ＥＦ３，ＥＦ４の入力部に共通接続され、ディレイ処理部ＤＬ３の出力部はエフェクト処理部ＥＦ５，ＥＦ６の入力部に共通接続され、ディレイ処理部ＤＬ４の出力部はエフェクト処理部ＥＦ７，ＥＦ８の入力部に共通接続される。これらエフェクト処理部ＥＦ１〜ＥＦ８には、上述の制御データとしてエフェクト制御データＣ３が供給される。さらに、８つのエフェクト処理部のうち、エフェクト処理部ＥＦ１，ＥＦ３，ＥＦ５，ＥＦ７の出力部はミキシング処理部ＭＸ１の入力部に接続され、エフェクト処理部ＥＦ２，ＥＦ４，ＥＦ６，ＥＦ８の出力部はミキシング処理部ＭＸ２の入力部に接続される。これらミキシング処理部ＭＸ１，ＭＸ２にはミキシング制御データＣ４が供給される。
【００１０】
上述の構成において、イコライズ処理部ＥＱ１、ディレイ処理部ＤＬ１，ＤＬ２、エフェクト処理部ＥＦ１〜ＥＦ４、およびミキシング処理部ＭＸ１は、左チャンネルのスピーカ（図示省略）から放音されるべき楽音（以下、左チャンネル音と称す）に着目して、波形データＤＴＧに音響効果を付与するための処理系（以下、左チャンネル処理系と称す）を構成する。また、イコライズ処理部ＥＱ２、ディレイ処理部ＤＬ３，ＤＬ４、エフェクト処理部ＥＦ５〜ＥＦ８、およびミキシング処理部ＭＸ２は、右チャンネルのスピーカ（図示省略）から放音されるべき楽音（以下、右チャンネル音と称す）に着目して、波形データＤＴＧに音響効果を付与するための処理系（以下、右チャンネル処理系と称す）を構成する。
【００１１】
次に、この実施形態に係る音源装置１００の動作を説明する。
先ず、左チャンネル処理系について説明する。トーンジェネレータＴＧは、入力チャンネルを介して楽音データＭを入力し、この楽音データＭを解釈して波形データＤＴＧを発生する。イコライズ処理部ＥＱ１は、左右の出力チャンネルに応じて波形データＤＴＧにイコライズ制御データＣ１を反映させ、波形データＤＥＱ１を生成する。即ち、イコライズ処理部ＥＱ１は、イコライズ制御データＣ１に基づき、波形データＤＴＧに対し、左チャンネル音のイコライズ量を制御するための処理を施し、この処理結果を波形データＤＥＱ１として出力する。
後段のディレイ処理部ＤＬ１は、波形データＤＥＱ１に対して左チャンネル音のディレイ量を制御するための処理を施して楽音データＤＤＬ１を出力する。また、ディレイ処理部ＤＬ２は、同じ楽音データＤＥＱ１に対して右チャンネル音のディレイ量を制御するための処理を施して楽音データＤＤＬ２を出力する。これにより、波形データＤＤＬ１は、左チャンネル音のイコライズ量およびディレイ量が制御され、波形データＤＤＬ２は、左チャンネル音のイコライズ量と右チャンネル音のディレイ量との組み合わせが制御されたものになる。
【００１２】
エフェクト処理部ＥＦ１は、波形データＤＤＬ１に対し、左チャンネル音のエフェクト量を制御するための処理を施して波形データＤＥＦ１を出力し、エフェクト処理部ＥＦ２は、波形データＤＤＬ１に対し、右チャンネル音のエフェクト量を制御するための処理を施して波形データＤＥＦ２を出力する。同様に、エフェクト処理部ＥＦ３は、波形データＤＤＬ２に対し、左チャンネル音のエフェクト量を制御するための処理を施して波形データＤＥＦ３を出力し、エフェクト処理部ＥＦ４は、波形データＤＤＬ２に対し、右チャンネル音のエフェクト量を制御するための処理を施して波形データＤＥＦ４を出力する。
【００１３】
結局、波形データＤＥＦ１〜ＤＥＦ４は、上述の各制御データ（Ｃ１，Ｃ２，Ｃ３）と左右のチャンネルとの組み合わせに応じて音響効果が制御されたものになる。具体的には、波形データＤＥＦ１は、左チャンネル音のイコライズ量とディレイ量とエフェクト量とが制御されたものとなり、波形データＤＥＦ２は、左チャンネル音のイコライズ量と、右チャンネル音のディレイ量と、左チャンネル音のエフェクト量の組み合わせが制御されたものになる。また、波形データＤＥＦ３は、左チャンネル音のイコライズ量と、右チャンネル音のディレイ量と、左チャンネル音のエフェクト量との組み合わせが制御されたものとなり、波形データＤＥＦ４は、左チャンネル音のイコライズ量と、右チャンネル音のディレイ量と、右チャンネル音のエフェクト量との組み合わせが制御されたものになる。
これら波形データＤＥＦ１〜ＤＥＦ４はミキシング処理部ＭＸ１で選択的に合成（ミキシング）され、左チャンネル音を再生するための波形データＤＯＬとされる。これら波形データＤＥＦ１〜ＤＥＦ４の中の何れを選択して合成するかは、ミキシング制御データＣ４により制御され、このミキシング制御データＣ４は、ユーザの好みに従って指定される。
【００１４】
上述の左チャンネル処理系による一連の処理と同様に、右チャンネル処理系による処理が行われ、右チャンネル音を再生するための波形データＤＯＲが生成される。このようにして生成された波形データＤＯＬ，ＤＯＲは、図示しない左右のスピーカの駆動信号に対応したものであり、左右の出力チャンネルを介して外部のＤ／Ａ変換器に供給され、このＤ／Ａ変換器により変換されたアナログ量の楽音信号がスピーカの駆動信号とされる。
ここで、波形データＤＴＧから複数の波形データＤＥＦ１〜ＤＥＦ８を生成するまでの過程に着目すると、波形データＤＥＦ１〜ＤＥＦ８の数は、出力チャンネルの数（この例では「２」）の階乗（この例では、「３乗」）で表される数（この例では「８」）となっている。即ち、この例では、制御データを用いて波形データに音響効果を付与する各処理の過程において、２つの出力チャンネルに応じて制御量を設定する。従って、原理的には、各出力チャンネルの波形データに対し、全ての制御データの組み合わせを反映させることができ、音響効果をきめ細かく制御することが可能になる。
【００１５】
図２に、１６個の入力チャンネルと、８個の出力チャンネルを有する音源装置２００の構成を示す。この音源装置２００は、基本的には、上述の図１に示す音源装置１００の構成を拡張したものであって、チャンネル１〜１６が割り付けられたラインインＬＩ１〜ＬＩ１６と、上述のトーンジェネレータＴＧに対応するトーンジェネレータＴＧ１〜ＴＧ１６と、上述のイコライズ処理部ＥＱ１，ＥＱ２に対応するイコライズコントロール部ＥＱＣと、上述のディレイ処理部ＤＬ１〜ＤＬ４に対応するディレイコントロール部ＤＬＣと、上述のエフェクト処理部ＥＦ１〜ＥＦ８に対応するエフェクトコントロール部ＥＦＣと、新たに追加されたボリュームコントロール部ＶＯＣと、上述のミキシング処理部ＭＸ１，ＭＸ２に対応するミキサー処理部ＭＩＸと、出力チャンネル１〜８が割り付けられたラインアウトＬＯ１〜ＬＯ８を備えている。これらラインインＬＩ１〜ＬＩ１６、イコライズコントロール部ＥＱＣ、ディレイコントロール部ＤＬＣ、エフェクトコントロール部ＥＦＣ、ボリュームコントロール部ＶＯＣ、ミキサー処理部ＭＩＸには、バスＢを介して、それぞれ、上述の楽音データＭに対応する楽音データＭＤ、上述のイコライズ制御データＣ２に対応するイコライズ制御データＣＤ１、上述のディレイ制御データＣ３に対応するディレイ制御データＣＤ２、上述のエフェクト制御データＣＤ３に対応するエフェクト制御データＣＤ３、ボリューム制御データＣＤ４、上述のミキシング制御データＣ４に対応するミキシング制御データＣＤ５が供給される。
【００１６】
ただし、この例では、楽音データＭＤは、１６のパート別に生成されたものであり、各パートのデータがラインインＬＩ１〜ＬＩ１６にそれぞれ与えられる。また、イコライズコントロール部ＥＱＣからミキサー部ＭＩＸまでの構成は、チャンネル数の増加に対応して、図１に示す構成を拡張したものとなっている。即ち、イコライズコントロール部ＥＱＣは、トーンジェネレータＴＧ１〜ＴＧ１６から入力する１６種類の波形データに対してイコライズ制御データＣＤ１を反映させて８種類の波形データを生成し、合計１２８種類の波形データを出力する。以下、同様にして、ディレイコントロール部ＤＬＣからボリュームコントロール部ＶＯＣにおいて、１つの波形データに対し８つの波形データを生成し、ボリュームコントロール部ＶＯＣは、合計６５５３６種類の波形データを生成して出力する。ミキサー部ＭＩＸは、この６５５３６種類の波形データを入力し、ミキシング制御データＣＤ５に基づき８チャンネル分の波形データＤＯ１〜ＤＯ８に合成し、これをラインアウトＬＯ１〜ＬＯ８を介して外部に出力する。
【００１７】
図３に、音源装置２００の適用例を示す。同図において、コンピュータＣＰは、シーケンスソフトＳＥＱに従って演奏のための処理を実行し、音源装置２００に楽音データＭＤを出力する。音源装置２００の上述のラインアウトＬＯ１〜ＬＯ８にはスピーカＳＰ１〜ＳＰ８が接続されている。ただし、同図では省略しているが、音源装置２００のラインアウトはＤ／Ａ変換器に接続され、上述の各スピーカは、このＤ／Ａ変換器の出力に接続されている。また、ユーザはコンピュータＣＰに対し、音響効果に関する上述の各種の制御データ（ＣＤ１〜ＣＤ５）を入力し、コンピュータＣＰは、この制御データを音源装置２００に供給する。
この適用例によれば、音源装置２００は、コンピュータＣＰからパート別の楽音データＭＤを入力し、この楽音データＭＤに対し、上述の制御データに基づき音響効果を付与するための処理を施し、音響効果が制御された８チャンネル分の波形データＤＯ１〜ＤＯ８を出力する。この波形データＤＯ１〜ＤＯ８は図示しないＤ／Ａ変換器でアナログ量の楽音信号に変換され、この楽音信号を駆動信号としてスピーカＳＰ１〜ＳＰ８が駆動される。
【００１８】
図４に、上述の音源装置２００を８チャンネルのサラウンドシステムに適用した場合のスピーカの配置例を示す。この例では、中央のリスナーに対し、前方の左右上下に合計４台のスピーカＳＰ１〜ＳＰ４を配置し、後方の左右上下にも合計４台のスピーカＳＰ５〜ＳＰ８を配置している。図５に、音源装置２００を５．１チャンネルのサラウンドシステムに適用した場合のスピーカの配置例を示す。この例では、中央のリスナーに対し、前方の左右に２台のスピーカＳＰ１，ＳＰ２を配置し、その後方の左右にはサラウンドスピーカＳＰ３，ＳＰ４を配置している。また、前方の中央には、センタースピーカＳＰ５とサブウーファＳＰ６とを配置している。何れの例であっても、音源装置２００によれば、各スピーカから放音される楽音の音響効果を精緻に制御することができ、外部にミキサー等の装置を備えることなく、立体的な音場を自在に実現することができる。
【００１９】
【発明の効果】
以上説明したように、本発明によれば、楽音データを解釈して第１の波形データを発生し、制御データを第１の波形データに反映させて複数の第２の波形データを生成し、この複数の第２の波形データを選択的に合成するようにしたので、ミキサー等の外部装置を要することなく、音響効果が付与された波形データを得ることができる。
【図面の簡単な説明】
【図１】この発明の実施形態に係る音源装置の構成（原理）を示すブロック図である。
【図２】この発明の実施形態に係る音源装置の構成（入力チャンネルと出力チャンネルを拡張した場合の構成）の一例を示す図である。
【図３】この発明の実施形態に係る音源装置の適用例を示す図である。
【図４】この発明の実施形態に係る音源装置が適用された８チャンネルのサラウンドシステムにおけるスピーカの配置例を示す図である。
【図５】この発明の実施形態に係る音源装置が適用された５．１チャンネルのサラウンドシステムにおけるスピーカの配置例を示す図である。
【図６】従来技術に係る音源装置を説明するための図である。
【符号の説明】
ＴＧ；トーンジェネレータ、ＥＱ１，ＥＱ２；イコライズ処理部、ＤＬ１〜ＤＬ４；ディレイ処理部、ＥＦ１〜ＥＦ８；エフェクト処理部、ＭＸ１，ＭＸ２；ミキシング処理部、ＬＩ１〜ＬＩ１６；ラインイン、ＴＧ１〜ＴＧ１６；トーンジェネレータ、ＥＱＣ；イコライズコントロール部、ＤＬＣ；ディレイコントロール部、ＥＦＣ；エフェクトコントロール部、ＶＯＣ；ボリュームコントロール部、ＭＩＸ；ミキサー部、ＬＯ１〜ＬＯ８；ラインアウト。
【図１】
2004295006.tif 000003
【図２】
2004295006.tif 000004
【図３】
2004295006.tif 000005
【図４】
2004295006.tif 000006
【図５】
2004295006.tif 000007
【図６】
2004295006.tif 000008